(57)【要約】【課題】ランプの交換回数を減らすことができる照明装置及びプロジェクターを提供すること。【解決手段】ランプと、ランプを点灯する点灯駆動装置とを含む複数の光源部１００−１，１００−２と、それぞれのランプが前回消灯する直前期のランプ状態をランプ状態情報として記憶する状態記憶部３００と、複数の光源部１００−１，１００−２の中から１つ以上を選択し、選択した光源部の点灯駆動装置にランプの点灯を指示する制御部２００とを含み、制御部２００は、それぞれのランプ９０−１，９０−２に対応するランプ状態情報に基づいて、光源部を選択する。ランプ状態情報として、ランプの駆動電圧やランプの光量を用いてもよい。【選択図】  図１
2010182615.tif 000002
【特許請求の範囲】
【請求項１】
ランプと、前記ランプを点灯する点灯駆動装置とを含む複数の光源部と、
それぞれの前記ランプが前回消灯する直前期のランプ状態をランプ状態情報として記憶する状態記憶部と、
前記複数の光源部の中から１つ以上を選択し、選択した前記光源部の前記点灯駆動装置に前記ランプの点灯を指示する制御部とを含み、
前記制御部は、それぞれの前記ランプに対応する前記ランプ状態情報に基づいて、前記光源部を選択することを特徴とする照明装置。
【請求項２】
請求項１に記載の照明装置において、
前記点灯駆動装置は、前記ランプの駆動電圧を検出する駆動電圧検出部を含み、
前記状態記憶部は、前記ランプ状態情報として前記駆動電圧を記憶することを特徴とする照明装置。
【請求項３】
請求項２に記載の照明装置において、
前記制御部は、前記駆動電圧がより小さい前記ランプを優先して選択することを特徴とする照明装置。
【請求項４】
請求項１に記載の照明装置において、
前記ランプの光量を検出する光量検出部を含み、
前記状態記憶部は、前記ランプ状態情報として前記光量を記憶することを特徴とする照明装置。
【請求項５】
請求項４に記載の照明装置において、
前記制御部は、前記光量がより大きいの前記ランプを優先して選択することを特徴とする照明装置。
【請求項６】
請求項１乃至５のいずれかに記載の照明装置を含むことを特徴とするプロジェクター。
【発明の詳細な説明】
【技術分野】
【０００１】
本発明は、照明装置及びプロジェクターに関する。
【背景技術】
【０００２】
複数の光源（ランプ）を有し、これらを選択的に点灯することができる投射型表示装置（プロジェクター）が知られている。
【先行技術文献】
【特許文献】
【０００３】
【特許文献１】特開平８−３６１８０号公報
【発明の概要】
【発明が解決しようとする課題】
【０００４】
ランプにはそれぞれ寿命があるため、ランプを用いた装置を使い続けるためには、ランプを交換する必要がある。ランプの交換回数を減らすためには、残り寿命の長いランプを優先的に点灯することが望ましい。
【０００５】
しかし、ランプ自体の個体差や、それぞれのランプの使用状況の違いにより、ランプの寿命はそれぞれ異なる。したがって、積算された点灯時間の短いものであっても、残り寿命が長いとは限らない。
【０００６】
本発明は、以上のような問題点に鑑みてなされたものであり、ランプの交換回数を減らすことができる照明装置及びプロジェクターを提供することを目的とする。
【課題を解決するための手段】
【０００７】
本発明に係る照明装置は、ランプと、前記ランプを点灯する点灯駆動装置とを含む複数の光源部と、それぞれの前記ランプが前回消灯する直前期のランプ状態をランプ状態情報として記憶する記憶部と、前記複数の光源部の中から１つ以上を選択し、選択した前記光源部の前記点灯駆動装置に前記ランプの点灯を指示する制御部とを含み、前記制御部は、それぞれの前記ランプに対応する前記ランプ状態情報に基づいて、前記光源部を選択することを特徴とする。
【０００８】
本発明によれば、ランプが前回消灯する直前期のランプ状態に応じて点灯するランプを選択することができる。これにより、残り寿命の長いランプを優先的に点灯することが可能になるため、ランプの交換回数を減らすことができる照明装置を実現できる。
【０００９】
この照明装置は、前記点灯駆動装置は、前記ランプの駆動電圧を検出し駆動電圧検出部を含み、前記記憶部は、前記ランプ状態情報として前記駆動電圧を記憶してもよい。
【００１０】
この照明装置は、前記制御部は、前記駆動電圧がより小さい前記ランプを優先して選択してもよい。
【００１１】
この照明装置は、前記ランプの光量を検出する光量検出部を含み、
前記記憶部は、前記ランプ状態情報として前記光量を記憶してもよい。
【００１２】
この照明装置は、前記制御部は、前記光量がより大きいの前記ランプを優先して選択してもよい。
【００１３】
本発明に係るプロジェクターは、これらのいずれかの照明装置を含むことを特徴とする。
【図面の簡単な説明】
【００１４】
【図１】第１実施形態に係る照明装置の回路ブロック図。
【図２】光源部の構成の一例を示す回路図。
【図３】第１実施形態における点灯操作からランプ点灯開始までのフローチャート。
【図４】第１実施形態における消灯操作からランプの消灯までのフローチャート。
【図５】第２実施形態に係る照明装置の回路ブロック図。
【図６】第２実施形態における点灯操作からランプ点灯開始までのフローチャート。
【図７】第２実施形態における消灯操作からランプの消灯までのフローチャート。
【図８】本実施の形態に係るプロジェクターの構成の一例を示す図。
【発明を実施するための形態】
【００１５】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００１６】
１．第１実施形態に係る照明装置
図１は、第１実施形態に係る照明装置の回路ブロック図である。
【００１７】
本実施の形態に係る照明装置１は、複数の光源部を含む。それぞれの光源部は、ランプと、ランプを点灯する点灯駆動装置とを含んで構成されている。
【００１８】
本実施形態においては、照明装置１は、ランプ９０−１と、ランプ９０−１を点灯する点灯駆動装置１０−１とを含む光源部１００−１と、ランプ９０−２と、ランプ９０−２を点灯する点灯駆動装置１０−２とを含む光源部１００−２との２つの光源部を含んでいる。ランプ９０−１及び９０−２は、例えば放電灯を用いてもよい。
【００１９】
なお、本実施形態の説明においては、照明装置１が２つの光源部を含む場合について説明するが、照明装置１は、光源部を３つ以上含んでいてもよい。
【００２０】
点灯駆動装置１０−１は、ランプ９０−１を駆動するための交流駆動電流を生成し、ランプ９０−１に供給することによりランプ９０−１を点灯駆動する。点灯駆動装置１０−２は、ランプ９０−２を駆動するための交流駆動電流を生成し、ランプ９０−２に供給することによりランプ９０−２を点灯駆動する。
【００２１】
また、点灯駆動装置１０−１及び１０−２は、後述する制御部２００と通信し、それぞれランプ９０−１及び９０−２に対する点灯命令や消灯命令を受け付ける。点灯駆動装置１０−１及び１０−２は、点灯命令に基づいてそれぞれランプ９０−１及び９０−２を点灯（点灯駆動を開始）し、消灯命令に基づいてそれぞれランプ９０−１及び９０−２を消灯（点灯駆動を終了）する。
【００２２】
点灯駆動装置１０−１及び１０−２と制御部２００とは、例えばＵＡＲＴ（Universal Asynchronous Receiver Transmitter）によるシリアル通信により通信してもよい。
【００２３】
図２は、光源部１００−１の構成の一例を示す回路図である。なお、光源部１００−２の構成も同様である。
【００２４】
点灯駆動装置１０−１は、電力制御回路２０を含む。電力制御回路２０は、ランプ９０−１に供給する駆動電力を生成する。本実施形態においては、電力制御回路２０は、直流電源８０を入力とし、当該入力電圧を降圧して直流電流Ｉｄを出力するダウンチョッパー回路で構成されている。
【００２５】
電力制御回路２０は、スイッチ素子２１、ダイオード２２、コイル２３及びコンデンサー２４を含んで構成することができる。スイッチ素子２１は、例えばトランジスターで構成することができる。本実施形態においては、スイッチ素子２１の一端は直流電源８０の正電圧側に接続され、他端はダイオード２２のカソード端子及びコイル２３の一端に接続されている。また、コイル２３の他端にはコンデンサー２４の一端が接続され、コンデンサー２４の他端はダイオード２２のアノード端子及び直流電源８０の負電圧側に接続されている。スイッチ素子２１の制御端子には点灯駆動制御部４０から電流制御信号が入力されてスイッチ素子２１のＯＮ／ＯＦＦが制御される。電流制御信号には、例えばＰＷＭ（Pulse Width Modulation）制御信号が用いられてもよい。
【００２６】
ここで、スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００２７】
点灯駆動装置１０−１は、交流変換回路３０を含む。交流変換回路３０は、電力制御回路２０から出力される直流電流Ｉｄを入力し、所与のタイミングで極性反転することにより、任意のデューティー比や周波数をもつ放電灯駆動用の交流駆動電流Ｉを生成出力する。本実施形態においては、交流変換回路３０はインバーターブリッジ回路（フルブリッジ回路）で構成されている。
【００２８】
交流変換回路３０は、例えば、トランジスターなどの第１乃至第４のスイッチ素子３１乃至３４を含んで構成され、直列接続された第１及び第２のスイッチ素子３１及び３２と、直列接続された第３及び第４のスイッチ素子３３及び３４を、互いに並列接続して構成される。第１乃至第４のスイッチ素子３１乃至３４の制御端子には、それぞれ点灯駆動制御部４０から交流変換制御信号が入力され、第１乃至第４のスイッチ素子３１乃至３４のＯＮ／ＯＦＦが制御される。
【００２９】
交流変換回路３０は、第１及び第４のスイッチ素子３１及び３４と、第２及び第３のスイッチ素子３２及び３３を交互にＯＮ／ＯＦＦを繰り返すことにより、電力制御回路２０から出力される直流電流Ｉｄの極性を交互に反転し、第１及び第２のスイッチ素子３１及び３２の共通接続点及び第３及び第４のスイッチ素子３３及び３４の共通接続点から、制御された周波数をもった交流駆動電流Ｉを生成出力する。
【００３０】
すなわち、第１及び第４のスイッチ素子３１及び３４がＯＮの時には第２及び第３のスイッチ素子３２及び３３をＯＦＦにし、第１及び第４のスイッチ素子３１及び３４がＯＦＦの時には第２及び第３のスイッチ素子３２及び３３をＯＮにするように制御する。したがって、第１及び第４のスイッチ素子３１及び３４がＯＮの時には、コンデンサー２４の一端から第１のスイッチ素子３１、ランプ９０−１、第４のスイッチ素子３４の順に流れる交流駆動電流Ｉが発生する。また、第２及び第３のスイッチ素子３２及び３３をＯＮの時には、コンデンサー２４の一端から第３のスイッチ素子３３、ランプ９０−１、第２のスイッチ素子３２の順に流れる交流駆動電流Ｉが発生する。
【００３１】
点灯駆動装置１０−１は、点灯駆動制御部４０を含む。点灯駆動制御部４０は、電力制御回路２０及び交流変換回路３０を制御することにより、交流駆動電流Ｉの電流値、デューティー比、周波数等を制御する。点灯駆動制御部４０は、交流変換回路３０に対して交流駆動電流Ｉの極性反転タイミングによりデューティー比、周波数等を制御する交流変換制御を行う。また、点灯駆動制御部４０は、電力制御回路２０に対して、出力される直流電流Ｉｄの電流値を制御する電流制御を行う。
【００３２】
また、点灯駆動制御部４０は、通信信号Ｓをやり取りすることにより制御部２００と通信を行う。通信信号Ｓには、ランプ９０−１に対する点灯命令や消灯命令、後述する電圧検出部で検出されたランプ９０−１の駆動電圧情報が含まれてもよい。
【００３３】
点灯駆動制御部４０の構成は、特に限定されるものではないが、本実施形態においては、点灯駆動制御部４０は、システムコントローラー４１、電力制御回路コントローラー４２及び交流変換回路コントローラー４３含んで構成されている。なお、点灯駆動制御部４０は、その一部又は全てを半導体集積回路で構成してもよい。
【００３４】
システムコントローラー４１は、電力制御回路コントローラー４２及び交流変換回路コントローラー４３を制御することにより、電力制御回路２０及び交流変換回路３０を制御する。システムコントローラー４１は、後述する点灯駆動装置１０−１内部に設けた動作検出部６０により検出した駆動電圧Ｖｄ及び交流駆動電流Ｉに基づき、電力制御回路コントローラー４２及び交流変換回路コントローラー４３を制御してもよい。
【００３５】
本実施形態においては、システムコントローラー４１は記憶部４４を含んで構成されている。なお、記憶部４４は、システムコントローラー４１とは独立に設けてもよい。
【００３６】
システムコントローラー４１は、記憶部４４に格納された情報に基づき、電力制御回路２０及び交流変換回路３０を制御してもよい。記憶部４４には、例えば交流駆動電流Ｉが同一極性で継続する保持時間、交流駆動電流Ｉの電流値、デューティー比、周波数、波形等の駆動パラメーターに関する情報が格納されていてもよい。
【００３７】
電力制御回路コントローラー４２は、システムコントローラー４１からの制御信号に基づき、電力制御回路２０へ電流制御信号を出力することにより、電力制御回路２０を制御する。
【００３８】
交流変換回路コントローラー４３は、システムコントローラー４１からの制御信号に基づき、交流変換回路３０へ交流変換制御信号を出力することにより、交流変換回路３０を制御する。
【００３９】
なお、点灯駆動制御部４０は、専用回路により実現して上述した各種制御を行うようにすることもできるが、例えばＣＰＵ（Central Processing Unit）が記憶部４４等に記憶された制御プログラムを実行することによりコンピューターとして機能し、これらの処理の各種制御を行うようにすることもできる。
【００４０】
点灯駆動装置１０−１は、動作検出部６０を含んでもよい。動作検出部６０は、例えばランプ９０−１の駆動電圧Ｖｄを検出し、駆動電圧情報を出力する駆動電圧検出部６０−１や、交流駆動電流Ｉを検出し、駆動電流情報を出力する電流検出部を含んでもよい。本実施形態においては、動作検出部６０は、第１乃至第３の抵抗６１乃至６３を含んで構成されている。
【００４１】
本実施形態において、電圧検出部は、ランプ９０−１と並列に、互いに直列接続された第１及び第２の抵抗６１及び６２で分圧した電圧により駆動電圧Ｖｄを検出する。また、本実施形態において、電流検出部は、ランプ９０−１に直列に接続された第３の抵抗６３に発生する電圧により交流駆動電流Ｉを検出する。
【００４２】
点灯駆動装置１０−１は、イグナイター回路７０を含んでもよい。イグナイター回路７０は、ランプ９０−１の点灯開始時にのみ動作し、ランプ９０−１の点灯開始時にランプ９０−１の電極間を絶縁破壊して放電路を形成するために必要な高電圧（通常制御動作時よりも高い電圧）をランプ９０−１の電極間に供給する。本実施形態においては、イグナイター回路７０は、ランプ９０−１と並列に接続されている。
【００４３】
本実施形態に係る照明装置１は、複数の光源部（本実施形態では光源部１００−１及び１００−２）の中から１つ以上を選択し、選択した光源部の点灯駆動装置にランプの点灯を指示する制御部２００を含む。制御部２００は、光源部１００−１を選択した場合には点灯駆動装置１０−１に点灯命令を出力することによりランプ９０−１の点灯を指示し、光源部１００−２を選択した場合には点灯駆動装置１０−２に点灯命令を出力することによりランプ９０−２の点灯を指示する。
【００４４】
また、制御部２００は、ユーザーの操作に基づいて点灯操作や消灯操作等の操作情報を受け付けてもよい。
【００４５】
制御部２００は、専用回路により実現して上述した制御や後述する各種制御を行うようにすることもできるが、例えばＣＰＵ（Central Processing Unit）が図示しない記憶装置等に記憶された制御プログラムを実行することによりコンピューターとして機能し、これらの処理の各種制御を行うようにすることもできる。
【００４６】
本実施形態に係る照明装置１は、それぞれのランプが前回消灯する直前期のランプ状態をランプ状態情報として記憶する状態記憶部３００を含む。ランプが消灯する直前期のランプ状態情報は、例えば、ランプが消灯する直前に最後に取得されたランプ状態情報であってもよいし、ランプが消灯する直前の所定期間内におけるランプ状態情報の平均値であってもよい。
【００４７】
本実施形態においては、状態記憶部３００が、ランプ状態情報としてランプの駆動電圧Ｖｄに対応する駆動電圧情報を記憶する例について説明する。
【００４８】
状態記憶部３００は、制御部２００とバス等で接続され、制御部２００が状態記憶部３００にランプ状態情報として点灯駆動装置から受け取ったランプごとの駆動電圧情報を書き込んだり更新したりする。制御部２００は、例えば、ランプ９０−１の駆動電圧をＶ１、ランプ９０−２の駆動電圧をＶ２として、これらにそれぞれ対応した駆動電圧情報を状態記憶部３００に書き込む。また、制御部２００は、状態記憶部３００に記憶された駆動電圧情報を読み出すことができる。
【００４９】
状態記憶部３００は、例えば不揮発性メモリーで構成してもよい。不揮発性メモリーで構成することにより、状態記憶部３００に電源が供給されなくなっても、ランプ状態情報を保持することができる。
【００５０】
制御部２００は、それぞれのランプに対応するランプ状態情報（本実施形態における駆動電圧情報）に基づいて、点灯を指示する光源部を選択する。例えば、制御部２００は、駆動電圧Ｖｄがより小さいランプを優先して選択してもよい。
【００５１】
図３は、本実施形態における点灯操作からランプ点灯開始までのフローチャートである。
【００５２】
まず、制御部２００は、ユーザーからの点灯操作を受け付ける（ステップＳ１００）。次に、制御部２００は、状態記憶部３００から、駆動電圧情報を読み出す（ステップＳ１０２）。
【００５３】
次に、制御部２００は、ステップＳ１０２で読み出した駆動電圧情報に対応する駆動電圧Ｖ１と駆動電圧Ｖ２の大小を判定する（ステップＳ１０４）。ステップＳ１０４で駆動電圧Ｖ１が駆動電圧Ｖ２未満であるものと判定した場合には、点灯駆動装置１０−１に点灯命令を送信する（ステップＳ１０８）。点灯命令を受信した点灯駆動装置１０−１は、ランプ９０−１を点灯開始する（ステップＳ１１０）。
【００５４】
ステップＳ１０４で、駆動電圧Ｖ１が駆動電圧Ｖ２以上であるものと判定した場合には、点灯駆動装置１０−２に点灯命令を送信する（ステップＳ１１２）。点灯命令を受信した点灯駆動装置１０−２は、ランプ９０−２を点灯開始する（ステップＳ１１４）。
【００５５】
図４は、本実施形態における消灯操作からランプの消灯までのフローチャートである。
【００５６】
まず、制御部２００は、ユーザーからの消灯操作を受け付ける（ステップＳ２００）。次に、制御部２００は、点灯しているランプに対応する点灯駆動装置から、駆動電圧情報を読み出す（ステップＳ２０２）。次に、制御部２００は、ステップＳ２０２で読み出した駆動電圧情報を状態記憶部３００に書き込む（ステップＳ２０４）。
【００５７】
次に、制御部２００は、点灯しているランプに対応する点灯駆動装置に消灯命令を送信する（ステップＳ２０６）。なお、ステップＳ２０６は、ステップＳ２００とステップＳ２０２との間で行ってもよい。
【００５８】
次に、消灯命令を受信した点灯駆動装置は、ランプを消灯する（ステップＳ２０８）。
【００５９】
本実施形態に係る照明装置によれば、ランプが前回消灯する直前期のランプ状態に応じて点灯するランプを選択することができる。これにより、残り寿命の長いランプを優先的に点灯することが可能になるため、ランプの交換回数を減らすことができる照明装置を実現できる。
【００６０】
また、ランプの駆動電圧はランプの電極の劣化状態との相関が高く、ランプ状態情報としては好適である。例えば放電灯においては、ランプの電極が劣化するにしたがってランプの駆動電圧は上昇する傾向にある。したがって、ランプの駆動電圧がより小さいランプを優先して選択することにより、残り寿命の長いランプを優先して選択することができる。
【００６１】
２．第２実施形態に係る照明装置
図５は、第２実施形態に係る照明装置の回路ブロック図である。なお、図１に示す照明装置と同一の構成には同一の符号を付し、詳細な説明を省略する。
【００６２】
本実施形態に係る照明装置２は、ランプ９０−１の光量を検出する光量検出部４００−１と、ランプ９０−２の光量を検出する光量検出部４００−２を含む。光量検出部４００−１、４００−２は、それぞれ検出した光量を光量情報として制御部２００に出力することができる。
【００６３】
本実施形態に係る照明装置２は、それぞれのランプが前回消灯する直前期のランプ状態をランプ状態情報として記憶する状態記憶部３００を含む。ランプが消灯する直前期のランプ状態情報は、例えば、ランプが消灯する直前に最後に取得されたランプ状態情報であってもよいし、ランプが消灯する直前の所定期間内におけるランプ状態情報の平均値であってもよい。
【００６４】
本実施形態においては、状態記憶部３００が、ランプ状態情報としてランプの光量Ｌに対応する光量情報を記憶する例について説明する。
【００６５】
状態記憶部３００は、制御部２００とバス等で接続され、制御部２００が状態記憶部３００にランプ状態情報として点灯駆動装置から受け取ったランプごとの光量情報を書き込んだり更新したりする。制御部２００は、例えば、ランプ９０−１の光量をＬ１、ランプ９０−２の光量をＬ２として、これらにそれぞれ対応した光量情報を状態記憶部３００に書き込む。また、制御部２００は、状態記憶部３００に記憶された光量情報を読み出すことができる。
【００６６】
制御部２００は、それぞれのランプに対応するランプ状態情報（本実施形態における光量情報）に基づいて、点灯を指示する光源部を選択する。例えば、制御部２００は、光量Ｌがより大きいランプを優先して選択してもよい。
【００６７】
図６は、本実施形態における点灯操作からランプ点灯開始までのフローチャートである。
【００６８】
まず、制御部２００は、ユーザーからの点灯操作を受け付ける（ステップＳ３００）。次に、制御部２００は、状態記憶部３００から、光量情報を読み出す（ステップＳ３０２）。
【００６９】
次に、制御部２００は、ステップＳ３０２で読み出した光量情報に対応する光量Ｌ１と光量Ｌ２の大小を判定する（ステップＳ３０４）。ステップＳ３０４で光量Ｌ１が光量Ｌ２未満であるものと判定した場合には、点灯駆動装置１０−１に点灯命令を送信する（ステップＳ３０８）。点灯命令を受信した点灯駆動装置１０−１は、ランプ９０−１を点灯開始する（ステップＳ３１０）。
【００７０】
ステップＳ３０４で、光量Ｌ１が光量Ｌ２以上であるものと判定した場合には、点灯駆動装置１０−２に点灯命令を送信する（ステップＳ３１２）。点灯命令を受信した点灯駆動装置１０−２は、ランプ９０−２を点灯開始する（ステップＳ３１４）。
【００７１】
図７は、本実施形態における消灯操作からランプの消灯までのフローチャートである。
【００７２】
まず、制御部２００は、ユーザーからの消灯操作を受け付ける（ステップＳ４００）。次に、制御部２００は、点灯しているランプに対応する光量検出部から受け取った光量情報を状態記憶部３００に書き込む（ステップＳ４０２）。
【００７３】
次に、制御部２００は、点灯しているランプに対応する点灯駆動装置に消灯命令を送信する（ステップＳ４０４）。次に、消灯命令を受信した点灯駆動装置は、ランプを消灯する（ステップＳ４０６）。
【００７４】
本実施形態に係る照明装置によれば、ランプが前回消灯する直前期のランプ状態に応じて点灯するランプを選択することができる。これにより、残り寿命の長いランプを優先的に点灯することが可能になるため、ランプの交換回数を減らすことができる照明装置を実現できる。
【００７５】
また、ランプの光量はランプの劣化状態との相関が高く、ランプ状態情報としては好適である。例えば放電灯においては、ランプが劣化するにしたがってランプの光量は低下する傾向にある。したがって、ランプの光量がより大きいランプを優先して選択することにより、残り寿命の長いランプを優先して選択することができる。
【００７６】
３．プロジェクター
図８は、本実施の形態に係るプロジェクターの構成の一例を示す図である。プロジェクター５００は、第１実施形態に係る照明装置１を含んだプロジェクターの例である。なお、図１に示す照明装置１と同一の構成には同一の符号を付し、詳細な説明を省略する。
【００７７】
プロジェクター５００は、画像信号変換部５１０、直流電源装置５２０、点灯駆動装置１０−１及び１０−２、ランプ９０−１及び９０−２、制御部２００、状態記憶部３００、ミラー群５５０、液晶パネル５６０Ｒ、５６０Ｇ、５６０Ｂ、画像処理装置５７０を含む。本実施の形態においては、ランプ９０−１及び９０−２には放電灯を用いている。
【００７８】
画像信号変換部５１０は、外部から入力された画像信号５０２（輝度−色差信号やアナログＲＧＢ信号など）を所定のワード長のデジタルＲＧＢ信号に変換して画像信号５１２Ｒ、５１２Ｇ、５１２Ｂを生成し、画像処理装置５７０に供給する。
【００７９】
画像処理装置５７０は、３つの画像信号５１２Ｒ、５１２Ｇ、５１２Ｂに対してそれぞれ画像処理を行い、液晶パネル５６０Ｒ、５６０Ｇ、５６０Ｂをそれぞれ駆動するための駆動信号５７２Ｒ、５７２Ｇ、５７２Ｂを出力する。
【００８０】
直流電源装置５２０は、外部の交流電源６００から供給される交流電圧を一定の直流電圧に変換し、トランス（図示しないが、直流電源装置５２０に含まれる）の２次側にある画像信号変換部５１０、画像処理装置５７０及びトランスの１次側にある点灯駆動装置１０−１及び１０−２に直流電圧を供給する。
【００８１】
点灯駆動装置１０−１及び１０−２は、起動時にランプ９０−１及び９０−２の電極間に高電圧を発生して絶縁破壊させて放電路を形成し、以後ランプ９０−１及び９０−２が放電を維持するための駆動電流を供給する。本実施の形態においては、図２を用いて説明した点灯駆動装置１０−１と同じ構成の点灯駆動装置を使用している。
【００８２】
ランプ９０−１及び９０−２が発する光束は、ミラー群５５０に含まれる２つのダイクロイックミラーを通してそれぞれＲ、Ｇ、Ｂの色光に分離され、その他のミラーで反射されて、それぞれ液晶パネル５６０Ｒ、５６０Ｇ、５６０Ｂに透過される。
【００８３】
液晶パネル５６０Ｒ、５６０Ｇ、５６０Ｂには、それぞれ駆動信号５７２Ｒ、５７２Ｇ、５７２Ｂによる画像が表示されており、当該画像によって各液晶パネルに入射する色光の輝度が変調され、再びダイクロイックプリズムで合成されてスクリーン７００に投射される。
【００８４】
制御部２００は、プロジェクターの点灯開始から消灯に至るまでの動作を制御する。プロジェクター５００がユーザーからの点灯操作を受け付けると、状態記憶部３００に記憶されているランプ状態情報に基づいて点灯するランプを選択し、点灯駆動装置１０−１又は１０−２に通信信号５８１又は５８２として点灯命令を送信する。また、プロジェクター５００がユーザーからの消灯操作を受け付けると、点灯しているランプに対応する点灯駆動装置１０−１又は１０−２に通信信号５８１又は５８２として消灯命令を送信する。また、制御部２００は、通信信号５８１及び５８２として点灯駆動装置１０−１及び１０−２からランプ９０−１及び９０−２の駆動電圧情報を読み出し、状態記憶部３００に書き込む。
【００８５】
このように構成したプロジェクター５００は、ランプが前回消灯する直前期のランプ状態に応じて点灯するランプを選択することができる。これにより、残り寿命の長いランプを優先的に点灯することが可能になるため、ランプの交換回数を減らすことができるプロジェクターを実現できる。
【００８６】
上記各実施形態においては、３つの液晶パネルを用いたプロジェクターを例示して説明したが、本発明はこれに限定されるものではなく、１つ、２つ又は４つ以上の液晶パネルを用いたプロジェクターにも適用可能である。
【００８７】
上記各実施形態においては、透過型のプロジェクターを例示して説明したが、本発明はこれに限定されるものではなく、反射型のプロジェクターにも適用することが可能である。ここで、「透過型」とは、透過型の液晶パネル等のように光変調手段としての電気光学変調装置が光を透過するタイプであることを意味しており、「反射型」とは、反射型の液晶パネルやマイクロミラー型光変調装置などのように光変調手段としての電気光学変調装置が光を反射するタイプであることを意味している。マイクロミラー型光変調装置としては、例えば、ＤＭＤ（デジタルマイクロミラーデバイス；Texas Instruments社の商標）を用いることができる。反射型のプロジェクターにこの発明を適用した場合にも、透過型のプロジェクターと同様の効果を得ることができる。
【００８８】
なお、本発明は本実施形態に限定されず、本発明の要旨の範囲内で種々の変形実施が可能である。
【００８９】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００９０】
例えば、上述の説明では、２つの光源部を含む照明装置及びプロジェクターの例にについて説明したが、３つ以上の光源部を含んだ照明装置及びプロジェクターであってもよい。また、３つ以上の光源部の中から２つ以上の光源部を選択してランプを点灯する照明装置及びプロジェクターでもよい。
【００９１】
また例えば、上述の説明では、第１実施形態に係る照明装置１を含んだプロジェクターの例について説明したが、第２実施形態に係る照明装置２を含んだプロジェクターとしてもよい。
【００９２】
また例えば、上述の説明では、ランプ状態情報としてランプの駆動電圧に基づいて光源部を選択する例とランプの光量に基づいて光源部を選択する例についてそれぞれ説明したが、ランプと駆動電圧とランプの光量を組み合わせる等、複数種類のランプ状態情報を組み合わせて点灯する光源部を選択してもよい。
【符号の説明】
【００９３】
１  照明装置、１０−１，１０−２  点灯駆動装置、２０  電力制御回路、２１  スイッチ素子、２２  ダイオード、２３  コイル、２４  コンデンサー、３０  交流変換回路、３１〜３４  スイッチ素子、４０  点灯駆動制御部、４０−１  電流制御手段、４０−２  交流変換制御手段、４１  システムコントローラー、４２  電力制御回路コントローラー、４３  交流変換回路コントローラー、４４  記憶部、６０  動作検出部、６０−１  駆動電圧検出部、６１〜６３  抵抗、７０  イグナイター回路、８０  直流電源、９０−１，９０−２  ランプ、１００−１，１００−２  光源部、２００  制御部、３００  状態記憶部、４００−１，４００−２  光量検出部、５００  プロジェクター、５１０  画像信号変換部、５１２Ｒ  画像信号（Ｒ）、５１２Ｇ  画像信号（Ｇ）、５１２Ｂ  画像信号（Ｂ）、５２０  直流電源装置、５５０  ミラー群、５６０Ｒ  液晶パネル（Ｒ）、５６０Ｇ  液晶パネル（Ｇ）、５６０Ｂ  液晶パネル（Ｂ）、５７０  画像処理装置、５７２Ｒ  液晶パネル（Ｒ）駆動信号、５７２Ｇ  液晶パネル（Ｇ）駆動信号、５７２Ｂ  液晶パネル（Ｂ）駆動信号、５８１，５８２  通信信号、６００  交流電源、７００  スクリーン
【図１】
2010182615.tif 000003
【図２】
2010182615.tif 000004
【図３】
2010182615.tif 000005
【図４】
2010182615.tif 000006
【図５】
2010182615.tif 000007
【図６】
2010182615.tif 000008
【図７】
2010182615.tif 000009
【図８】
2010182615.tif 000010